(57)【要約】【課題】目的信号とは異なる周波数の不要信号、特に目的信号の２次高調波の周波数と略同じ周波数の不要信号を受信しても、目的信号のみを通過させ、不要信号を抑圧・除去する。【解決手段】無線信号受信装置１は、アンテナ１０Ａ，１０Ｂ、ブランチラインハイブリッド回路１１、および出力端子２０を備える。ブランチラインハイブリッド回路１１、は、目的信号Ｓ１の波長λＳ１に対して、λＳ１／４の線路長からなる伝送線路パターン１１１，１１２，１１３，１１４を備える。伝送線路パターン１１１，１１２，１１３，１１４は連環するように接続されており、伝送線路パターン１１１，１１２の接続点２０１にアンテナ１０Ａが接続され、伝送線路パターン１１１，１１４の接続点２０４にアンテナ１０Ｂが接続され、伝送線路パターン１１３，１１４の接続点２０３に出力端子２０が接続される。【選択図】  図１
2011091682.tif 000002
【特許請求の範囲】
【請求項１】
２個の受信アンテナと、
少なくとも１個の出力端子と、
前記２個の受信アンテナと前記出力端子との間に配設された受信信号伝送回路と、を備え、
前記受信信号伝送回路は、前記２個の受信アンテナのそれぞれが受信する目的信号および不要信号を伝送する複数の伝送経路を有し、
該複数の伝送経路は、前記目的信号を前記出力端子へ伝送するとともに、前記不要信号を、逆位相の関係となるように前記出力端子へ伝送する、無線信号受信装置。
【請求項２】
前記無線信号受信装置は、複数のポートと、該複数のポート間に接続された複数の伝送経路を有するブランチラインハイブリッド回路により形成され、
前記複数のポートは、前記出力端子へ接続する出力ポートと、前記２個の受信アンテナが接続する２個のアンテナポートと、前記出力ポートおよび前記アンテナポートとは別の個別ポートと、を有する、請求項１に記載の無線信号受信装置。
【請求項３】
前記２個のアンテナポートは、前記複数の伝送経路のうちの１個の伝送経路の両端に位置する、請求項２に記載の無線信号受信装置。
【請求項４】
前記不要信号の周波数は目的信号の２倍の周波数の信号である、請求項１〜３に記載の無線信号受信装置。
【請求項５】
前記ブランチラインハイブリッド回路の各ポート間は、伝送線路パターンにより接続され、該伝送線路パターンは、前記目的信号の波長の１／４の線路長の電極パターンである、請求項２〜４に記載の無線信号受信装置。
【請求項６】
前記ブランチラインハイブリッド回路の各ポート間は、コイル素子とコンデンサ素子で構成された集中定数型の移相回路により接続されている、請求項２〜４に記載の無線信号受信装置。
【請求項７】
前記ブランチラインハイブリッド回路の各ポート間は、コイル素子と可変容量ダイオード素子で構成された集中定数型の移相回路により接続されており、
前記受信信号伝送回路は、前記可変容量ダイオード素子に制御電圧を印加する制御回路をさらに備える請求項２〜４に記載の無線信号受信装置。
【請求項８】
前記集中定数型の移相回路は、前記目的信号の波長の１／４の線路長に相当する回路構成である、請求項６または７に記載の無線信号受信装置。
【請求項９】
請求項１〜請求項８のいずれかに記載の構成を有し、前記目的信号としてUHF帯のテレビジョン放送信号を受信する無線信号受信装置を備えるとともに、
前記不要信号となり得る通信信号として、テレビジョン放送信号の周波数に対して２倍の周波数の信号を送受信する通信信号送受信部を備えた、通信モジュール。
【請求項１０】
前記テレビジョン放送信号の周波数に対して２倍の周波数の信号は、前記通信信号の送信信号である、請求項９に記載の通信モジュール。
【発明の詳細な説明】
【技術分野】
【０００１】
この発明は、通信信号をアンテナを介して受信する無線信号受信装置、特に目的信号と不要信号とをアンテナで受信しても目的信号のみを出力する無線信号受信装置に関するものである。
【背景技術】
【０００２】
従来、アンテナの用いて無線信号を通信する各種の通信装置が考案されている。そして、このような通信装置では、目的信号のみを通信し、目的信号以外の不要信号は抑圧や除去することが望まれる。
【０００３】
このため、例えば特許文献１に記載の送受信モジュールでは、アンテナ接続するサーキュレータの送信回路側に分配合成器を配置している。この構成により、この送受信モジュールは、送信信号を損失させることなくアンテナへ供給し、アンテナからの不要な送信信号の反射成分を分配合成器内で減衰させて、送信系回路を保護している。
【先行技術文献】
【特許文献】
【０００４】
【特許文献１】特開２００７−１９８２７号公報
【発明の概要】
【発明が解決しようとする課題】
【０００５】
ところで、現在の通信装置は、多機能化するとともに小型化が進んでおり、例えば、現在の携帯電話装置では、通話信号を送受信するともに、放送信号を受信する機能を備えている。この場合、携帯電話装置では、小型の筐体内に、通信信号用の送受信アンテナと放送信号用のアンテナとを近接して備えなければならない。
【０００６】
しかしながら、現在の周波数仕様では、上記放送信号の２次高調波の周波数帯域と、通信信号の周波数帯域とが重なる場合がある。この場合、通信用アンテナで送受信される通信信号が、放送信号用のアンテナで受信され、復調回路へ流入する可能性がある。このような通信信号は、放送信号の受信、復調系では不要信号であり、抑圧・除去しなければならない。
【０００７】
また、アンテナで受信した不要信号である通信信号は、放送信号とは異なる周波数帯域であるので、上述の特許文献１のような構成を用いたとしても、効果的に抑圧・除去することができない。
【０００８】
本発明の目的は、目的信号とは異なる周波数の不要信号、特に目的信号の２次高調波の周波数と略同じ周波数の不要信号を受信しても、目的信号のみを通過させ、不要信号を抑圧・除去する無線通信受信回路を実現することにある。
【課題を解決するための手段】
【０００９】
（１）この発明の無線信号受信装置は、２個の受信アンテナと、少なくとも１個の出力端子とを備える。さらに、この無線信号受信装置は、２個の受信アンテナと出力端子との間に配設された受信信号伝送回路を備える。そして、受信信号伝送回路は、２個の受信アンテナのそれぞれが受信する目的信号および不要信号を伝送する複数の伝送経路を有する。これら複数の伝送経路は、目的信号を出力端子へ伝送するとともに、不要信号を、逆位相の関係となるように出力端子へ伝送する。
【００１０】
この構成では、目的信号に対しては、２個の受信アンテナから出力端子へ伝送される複数の受信信号が、そのまま出力端子から出力される。一方、不要信号に対しては、２個の受信アンテナから出力端子へ伝送される複数の受信信号が、出力端子の位置で逆位相であるので、相殺される。この際、このような周波数の異なる信号の単なる伝送と相殺とが、複数の伝送線路を形成しただけで実現される。
【００１１】
（２）また、この発明の無線信号受信装置は、複数のポートと、該複数のポート間に接続された複数の伝送経路を有するブランチラインハイブリッド回路により形成される。そして、ブランチラインハイブリッド回路の複数のポートは、出力端子へ接続する出力ポートと、２個の受信アンテナが接続する２個のアンテナポートと、出力ポートおよびアンテナポートとは別の個別ポートと、を有する。
【００１２】
この構成は、上述の不要信号を相殺する具体的回路として、ブランチラインハイブリッド回路を用いた場合を示している。そして、このようなブランチラインハイブリッド回路を用いることで、上述のような作用を奏する回路を簡素に形成することができる。
【００１３】
（３）また、この発明の無線信号受信装置の２個のアンテナポートは、複数の伝送経路のうちの１個の伝送経路の両端に位置する。
【００１４】
この構成では、上述のブランチラインハイブリッド回路に２個の受信アンテナを接続する、より具体的な構成を示すものである。
【００１５】
（４）また、この発明の無線信号受信装置では、不要信号の周波数は目的信号の２倍の周波数の信号である。
【００１６】
この構成では、上述の目的信号と不要信号との周波数の具体的関係を示すものであり、このような関係にある場合に、特に有効な作用効果が得られる。
【００１７】
（５）また、この発明の無線信号受信装置のブランチラインハイブリッド回路の各ポート間は、伝送線路パターンにより接続され、該伝送線路パターンは、目的信号の波長の１／４の線路長の電極パターンである。
【００１８】
この構成では、ブランチラインハイブリッド回路の各ポート間の具体的構成を示すものである。そして、伝送線路パターンのみで形成することで、ブランチラインハイブリッド回路を非常に簡素な構成で実現できる。
【００１９】
（６）また、この発明の無線信号受信装置のブランチラインハイブリッド回路の各ポート間は、コイル素子とコンデンサ素子で構成された集中定数型の移相回路により接続されている。
【００２０】
この構成では、ブランチラインハイブリッド回路の各ポート間の具体的構成を示すものであり、各ポート間を集中定数型の移相回路で接続する場合を示す。このような集中定数型の回路を用いても、上述の目的信号を通過して不要信号を抑圧・除去する効果が得られる。
【００２１】
（７）また、この発明の無線信号受信装置のブランチラインハイブリッド回路の各ポート間は、コイル素子と可変容量ダイオード素子で構成された集中定数型の移相回路により接続されている。さらに、受信信号伝送回路は、可変容量ダイオード素子に制御電圧を印加する制御回路をさらに備える。
【００２２】
この構成では、上述の集中定数型の移相回路において、当該移相回路の移相量を調整可能な構成を示すものである。そして、この構成において、制御電圧を変更すれば、制御電圧レベルに応じて可変容量ダイオードのキャパシタンスが変化し、移相量が変化する。これにより、目的信号および不要信号の周波数を単一周波数のみでなく、所定周波数帯域内のいずれかの周波数に設定することができる。目的信号の通過と不要信号の抑圧・除去とが可能な周波数範囲を広くすることができる。
【００２３】
（８）また、この発明の無線信号受信装置の集中定数型の移相回路は、目的信号の波長の１／４の線路長に相当する回路構成である。
【００２４】
この構成は、上述の集中定数型の移相回路の具体的な回路パターンの基準を示すものである。
【００２５】
（９）また、この発明は通信モジュールに関するものである。この通信モジュールは、上述のいずれかに記載の構成を有し、目的信号としてＵＨＦ帯のテレビジョン放送信号を受信する無線信号受信装置を備える。さらに、通信モジュールは、不要信号となり得る通信信号として、テレビジョン放送信号の周波数に対して２倍の周波数の信号を送受信する通信信号送受信部を備える。
【００２６】
この構成では、上述の無線信号受信装置が用いられる具体的装置である通信モジュールについて示したものである。当該通信モジュールは、例えばテレビジョン放送信号受信機能付きの携帯電話端末であり、携帯電話通信信号の周波数帯域が、ＵＨＦ帯のテレビジョン放送信号の２倍の周波数である場合を示している。このような場合に、テレビジョン放送信号の受信アンテナを介して、携帯電話通信信号を受信してしまっても、当該携帯電話通信信号は抑圧・除去され、ＵＨＦ帯のテレビジョン放送信号はそのまま後段の復調回路等へ伝送される。
【００２７】
（１０）また、この発明の通信モジュールにおけるテレビジョン放送信号の周波数に対して２倍の周波数の信号は、通信信号の送信信号である。
【００２８】
この構成では、より具体的に、ＵＨＦ帯のテレビジョン放送信号の２倍の周波数が、通信信号の送信信号の周波数である場合を示している。送信信号は、受信信号と比較して信号レベルが高いため、不要信号としてより問題になりやすいが、この構成を用いることで、当該送信信号の抑圧・除去が可能になる。
【発明の効果】
【００２９】
目的信号とは異なる周波数の不要信号を受信しても、目的信号のみを通過させ、不要信号を抑圧・除去することができる。この際、伝送回路以外に個別のフィルタ素子やフィルタ回路を用いずとも、不要信号の抑圧・除去が可能となる。
【図面の簡単な説明】
【００３０】
【図１】本発明の第１の実施形態の無線受信装置１の回路構成図である。
【図２】図１に示す無線受信装置における目的信号を受信した際の動作原理を説明する図である。
【図３】図１に示す無線受信装置における不要信号を受信した際の動作原理を説明する図である。
【図４】本発明の第２の実施形態の無線受信装置１Ｃの回路構成図である。
【図５】本発明の第３の実施形態の無線受信装置１ＶＣの回路構成図である。
【発明を実施するための形態】
【００３１】
本発明の第１の実施形態に係る無線信号受信装置について、図を参照して説明する。本実施形態で示す無線信号受信装置は、具体的には、ＵＨＦ帯のテレビジョン放送信号を受信する無線信号受信装置であり、ワンセグ放送受信機能付きの携帯電話端末（発明の「通信モジュール」に相当する。）に搭載されるものである。したがって、以下の説明では、目的信号はＵＨＦ帯（４７０ＭＨｚ〜８６０ＭＨｚ）のテレビジョン放送信号であり、不要信号は、当該テレビジョン放送信号の略２倍の周波数に当たる携帯電話の通信信号、特に当該通信信号における送信信号に相当する。
【００３２】
図１は本実施形態の無線受信装置１の回路構成図である。図１に示すように、無線受信装置１は、２個のアンテナ１０Ａ，１０Ｂ、ブランチラインハイブリッド回路１１、出力端子２０を備える。
【００３３】
ブランチラインハイブリッド回路１１は、４個の入出力ポート１１０Ａ，１１０Ｂ，１１０Ｃ，１１０Ｄを備えるとともに、４個の伝送線路パターン１１１，１１２，１１３，１１４を有する。伝送線路パターン１１１，１１２，１１３，１１４は、例えば所定の誘電体基板上に形成された電極パターンにより実現される。伝送線路パターン１１１，１１２，１１３，１１４は、それぞれが一辺を成す正方形に配置されている。これら伝送線路パターン１１１，１１２，１１３，１１４は連環するように形成されている。具体的には、伝送線路パターン１１１の一方端が伝送線路パターン１１２の一方端に接続し、伝送線路パターン１１２の他方端が伝送線路パターン１１３の一方端に接続する。さらに、伝送線路パターン１１３の他方端が伝送線路パターン１１４の一方端に接続し、伝送線路パターン１１４の他方端が伝送線路パターン１１１の他方端に接続している。
【００３４】
そして、全ての伝送線路パターン１１１，１１２，１１３，１１４は、同じ線路長で形成されている。この線路長は、当該伝送線路パターン１１１，１１２，１１３，１１４が形成される誘電体基板の比誘電率や比透磁率を加味した上で、目的信号の波長λＳ１に対して１／４となる長さに設定されている。
【００３５】
このようなブランチラインハイブリッド回路１１の各伝送線路パターンの接続部は、それぞれがブランチラインハイブリッド回路１１の入出力ポート１１０Ａ，１１０Ｂ，１１０Ｃ，１１０Ｄに接続し、当該入出力ポート１１０Ａ，１１０Ｂ，１１０Ｃ，１１０Ｄがそれぞれ外部回路へ接続可能な構成になっている。
【００３６】
具体的には、伝送線路パターン１１１と伝送線路パターン１１２との接続点２０１は入出力ポート１１０Ａ（本発明の「アンテナポート」に相当する。）に接続し、当該入出力ポート１１０Ａがアンテナ１０Ａに接続されている。伝送線路パターン１１１と伝送線路パターン１１４との接続点２０４は入出力ポート１１０Ｄ（本発明の「アンテナポート」に相当する。）に接続し、当該入出力ポート１１０Ｄがアンテナ１０Ｂに接続されている。伝送線路パターン１１４と伝送線路パターン１１３との接続点２０３は入出力ポート１１０Ｃ（本発明の「出力ポート」に相当する。）に接続し、当該入出力ポート１１０Ｃが、出力端子２０に接続されている。なお、本実施形態では、伝送線路パターン１１２と伝送線路パターン１１３との接続点２０２に接続する入出力ポート１１０Ｂの接続先を図示していないが、例えば、出力端子２０と同等の端子が接続されていたり、抵抗器を介して接地されている。
【００３７】
なお、これらの入出力ポート１１０Ａ，１１０Ｂ，１１０Ｃ，１１０Ｄは、ブランチラインハイブリッド回路２１の各接続点とアンテナ１０Ａ，１０Ｂ、出力端子２０等の外部回路とを接続する機能的な入出力部であり、電極パターンの所定位置を示すものであっても、特定の端子構造等を有しても良い。また、同様に、出力端子２０も、無線信号受信装置１の機能的な出力部であり、当該無線信号受信装置１と後段回路とが一体形成されるものであれば、特定の端子構造を有さなくても、これらを接続する電極の所定位置が出力端子２０となる。
【００３８】
このような構造を用いることで、目的信号Ｓ１と当該目的信号Ｓ１の２倍の周波数からなる不要信号Ｓ２とは、次に示すような状態となる。
【００３９】
（１）目的信号Ｓ１に対して
図２は、図１に示す無線信号受信装置１における目的信号を受信した際の動作原理を説明する図であり、図２（Ａ）はアンテナ１０Ａが受信している状況を示し、図２（Ｂ）はアンテナ１０Ｂが受信している状況を示す。なお、図２では、図１に示した入出力ポート１１０Ａ，１１０Ｂ，１１０Ｃ，１１０Ｄの図示を省略している。
【００４０】
まず、図２（Ａ）に示すように、アンテナ１０Ａで受信した目的信号Ｓ１は、ブランチラインハイブリッド回路１１の接続点２０１に伝送される。目的信号Ｓ１は、接続点２０１で分岐し、分岐後信号Ｓ１Ａが伝送線路パターン１１１へ伝送され、分岐後信号Ｓ１Ａ’が伝送線路パターン１１２へ伝送される。
【００４１】
分岐後信号Ｓ１Ａは、伝送線路パターン１１１により、接続点２０１に対して接続点２０４で位相がλＳ１／４だけシフトする。さらに、分岐後信号Ｓ１Ａは、伝送線路パターン１１４により、接続点２０４に対して接続点２０３で位相がさらにλＳ１／４だけシフトする。すなわち、分岐後信号Ｓ１Ａは、接続点２０１に対して接続点２０３で位相がλＳ１／２だけシフトする。
【００４２】
分岐後信号Ｓ１Ａ’は、伝送線路パターン１１２により、接続点２０１に対して接続点２０２で位相がλＳ１／４だけシフトする。さらに、分岐後信号Ｓ１Ａ’は、伝送線路パターン１１３により、接続点２０２に対して接続点２０３で位相がさらにλＳ１／４だけシフトする。すなわち、分岐後信号Ｓ１Ａ’は、接続点２０１に対して接続点２０３で位相がλＳ１／２だけシフトする。
【００４３】
このように、伝送された分岐後信号Ｓ１Ａと分岐後信号Ｓ１Ａ’は、接続点２０３で加算され、出力端子２０に伝送される。ここで、上述のように、分岐後信号Ｓ１Ａと分岐後信号Ｓ１Ａ’は、ともに接続点２０１に対して接続点２０３で位相がλＳ１／２だけシフトしている。すなわち、分岐後信号Ｓ１Ａと分岐後信号Ｓ１Ａ’は、同位相で加算される。このため、出力端子２０からの出力信号Ｓ１Ａｏｕｔは、分岐後信号Ｓ１Ａと分岐後信号Ｓ１Ａ’との単純加算となり、受信した目的信号Ｓ１となる（Ｓ１Ａｏｕｔ＝Ｓ１Ａ＋Ｓ１Ａ’＝Ｓ１）。
【００４４】
一方、図２（Ｂ）に示すように、アンテナ１０Ｂで受信した目的信号Ｓ１は、ブランチラインハイブリッド回路１１の接続点２０４に伝送される。目的信号Ｓ１は、接続点２０４で分岐し、分岐後信号Ｓ１Ｂが伝送線路パターン１１４へ伝送され、分岐後信号Ｓ１Ｂ’が伝送線路パターン１１１へ伝送される。
【００４５】
分岐後信号Ｓ１Ｂは、伝送線路パターン１１４により、接続点２０４に対して接続点２０３で位相がλＳ１／４だけシフトする。
【００４６】
分岐後信号Ｓ１Ｂ’は、伝送線路パターン１１１により、接続点２０４に対して接続点２０１で位相がλＳ１／４だけシフトする。さらに、分岐後信号Ｓ１Ｂ’は、伝送線路パターン１１２により、接続点２０１に対して接続点２０２で位相がさらにλＳ１／４だけシフトする。また、さらに、分岐後信号Ｓ１Ｂ’は、伝送線路パターン１１３により、接続点２０２に対して接続点２０３で位相がさらにλＳ１／４だけシフトする。すなわち、分岐後信号Ｓ１Ｂ’は、接続点２０４に対して接続点２０３で位相が３λＳ１／４だけシフトする。
【００４７】
このように、伝送された分岐後信号Ｓ１Ｂと分岐後信号Ｓ１Ｂ’は、接続点２０３で加算され、出力端子２０に伝送される。ここで、上述のように、分岐後信号Ｓ１Ｂは接続点２０１に対して接続点２０３で位相がλＳ１／４だけシフトし、分岐後信号Ｓ１Ｂ’は接続点２０１に対して接続点２０３で位相が３λＳ１／４だけシフトしている。すなわち、分岐後信号Ｓ１Ｂと分岐後信号Ｓ１Ｂ’は、逆位相（１８０°位相差）で加算される。このため、出力端子２０からの出力信号Ｓ１Ｂｏｕｔは、分岐後信号Ｓ１Ｂと分岐後信号Ｓ１Ｂ’との相殺となり、「０」となる（Ｓ１Ｂｏｕｔ＝Ｓ１Ｂ＋Ｓ１Ｂ’＝０）。
【００４８】
以上のように、目的信号Ｓ１がアンテナ１０Ａ，１０Ｂで受信された場合、出力信号Ｓ１Ａｏｕｔは、目的信号Ｓ１に対して位相がシフトしただけで同じレベルの信号となる。
【００４９】
（２）不要信号Ｓ２に対して
図３は、図１に示す無線信号受信装置１における不要信号を受信した際の動作原理を説明する図であり、図３（Ａ）はアンテナ１０Ａが受信している状況を示し、図２（Ｂ）はアンテナ１０Ｂが受信している状況を示す。
【００５０】
まず、図３（Ａ）に示すように、アンテナ１０Ａで受信した不要信号Ｓ２は、ブランチラインハイブリッド回路１１の接続点２０１に伝送される。不要信号Ｓ２は、接続点２０１で分岐し、分岐後信号Ｓ２Ａが伝送線路パターン１１１へ伝送され、分岐後信号Ｓ２Ａ’が伝送線路パターン１１２へ伝送される。
【００５１】
ここで、不要信号Ｓ２は、上述のように目的信号Ｓ１の周波数に対して２倍の周波数からなるので、各伝送線路パターン１１１，１１２，１１３，１１４は、不要信号Ｓ２の波長λＳ２に対して、１／２倍の長さの線路長となる。
【００５２】
したがって、分岐後信号Ｓ２Ａは、伝送線路パターン１１１により、接続点２０１に対して接続点２０４で位相がλＳ２／２だけシフトする。さらに、分岐後信号Ｓ２Ａは、伝送線路パターン１１４により、接続点２０４に対して接続点２０３で位相がさらにλＳ２／２だけシフトする。すなわち、分岐後信号Ｓ２Ａは、接続点２０１に対して接続点２０３で位相がλＳ２だけシフトする。
【００５３】
分岐後信号Ｓ２Ａ’は、伝送線路パターン１１２により、接続点２０１に対して接続点２０２で位相がλＳ２／２だけシフトする。さらに、分岐後信号Ｓ２Ａ’は、伝送線路パターン１１３により、接続点２０２に対して接続点２０３で位相がさらにλＳ２／２だけシフトする。すなわち、分岐後信号Ｓ２Ａ’は、接続点２０１に対して接続点２０３で位相がλＳ２だけシフトする。
【００５４】
このように伝送された分岐後信号Ｓ２Ａと分岐後信号Ｓ２Ａ’は、接続点２０３で加算され、出力端子２０に伝送される。ここで、上述のように、分岐後信号Ｓ２Ａと分岐後信号Ｓ２Ａ’は、ともに接続点２０１に対して接続点２０３で位相がλＳ２だけシフトしている。すなわち、分岐後信号Ｓ２Ａと分岐後信号Ｓ２Ａ’は、同位相で加算される。このため、出力端子２０からの出力信号（不要信号）Ｓ２Ａｏｕｔは、分岐後信号Ｓ２Ａと分岐後信号Ｓ２Ａ’との単純加算となり、受信した不要信号Ｓ２となる。ここで、出力信号Ｓ２Ａｏｕｔは、アンテナ１０Ａで受信した不要信号Ｓ２に対してλＳ２だけ位相シフトした信号となるので、当該不要信号Ｓ２と同位相である（Ｓ２Ａｏｕｔ＝Ｓ２Ａ＋Ｓ２Ａ’＝＋Ｓ２）。
【００５５】
一方、図３（Ｂ）に示すように、アンテナ１０Ｂで受信した不要信号Ｓ２は、ブランチラインハイブリッド回路１１の接続点２０４に伝送される。不要信号Ｓ２は、接続点２０４で分岐し、分岐後信号Ｓ２Ｂが伝送線路パターン１１４へ伝送され、分岐後信号Ｓ２Ｂ’が伝送線路パターン１１１へ伝送される。
【００５６】
分岐後信号Ｓ２Ｂは、伝送線路パターン１１４により、接続点２０４に対して接続点２０３で位相がλＳ２／２だけシフトする。
【００５７】
分岐後信号Ｓ２Ｂ’は、伝送線路パターン１１１により、接続点２０４に対して接続点２０１で位相がλＳ２／２だけシフトする。さらに、分岐後信号Ｓ２Ｂ’は、伝送線路パターン１１２により、接続点２０１に対して接続点２０２で位相がさらにλＳ２／２だけシフトする。また、さらに、分岐後信号Ｓ２Ｂ’は、伝送線路パターン１１３により、接続点２０２に対して接続点２０３で位相がさらにλＳ２／２だけシフトする。すなわち、分岐後信号Ｓ２Ｂ’は、接続点２０４に対して接続点２０３で位相が３λＳ２／２だけシフトする。
【００５８】
このように伝送された分岐後信号Ｓ２Ｂと分岐後信号Ｓ２Ｂ’は、接続点２０３で加算され、出力端子２０に伝送される。ここで、上述のように、分岐後信号Ｓ２Ｂは接続点２０１に対して接続点２０３で位相がλＳ２／２だけシフトし、分岐後信号Ｓ２Ｂ’は接続点２０１に対して接続点２０３で位相が３λＳ２／２だけシフトしている。すなわち、分岐後信号Ｓ１Ｂと分岐後信号Ｓ１Ｂ’は、同位相で加算される。このため、出力端子２０からの出力信号Ｓ２Ｂｏｕｔは、分岐後信号Ｓ２Ｂと分岐後信号Ｓ２Ｂ’との単純加算となり、Ｓ２となる。しかしながら、出力信号Ｓ２Ｂｏｕｔは、不要信号Ｓ２に対してλＳ２／２だけ位相がシフトした信号であるので、不要信号Ｓ２に対して逆位相である（Ｓ２Ｂｏｕｔ＝Ｓ２Ｂ＋Ｓ２Ｂ’＝−Ｓ２）。
【００５９】
したがって、出力信号Ｓ２Ａｏｕｔと出力信号Ｓ２Ｂとは、逆位相の関係となり、相殺される。これにより、出力端子２０からは、不要信号Ｓ２に基づく信号が出力されない。
【００６０】
以上のように、本実施形態の構成を用いることで、目的信号Ｓ１のみを出力し、不要信号Ｓ２を抑圧・除去することができる。この際、無線信号受信装置は、伝送線路のみで形成されており、フィルタ素子やフィルタ回路等の不要信号除去用の個別素子や個別回路を備える必要が無い。これにより、簡素な構成で無線信号受信装置を形成することができる。
【００６１】
したがって、上述のようにテレビジョン放送信号の２倍波の周波数が通信信号における送信信号の周波数と一致する場合であっても、テレビジョン放送信号のみを伝送し、テレビジョン放送信号用のアンテナで受波してしまった通信信号の送信信号を抑圧・除去することができる。
【００６２】
なお、通信信号における受信信号の周波数がテレビジョン放送信号の２倍波の周波数となる場合にも、上述の構成を適用し、上述の作用効果を得ることができるが、受信信号に対してレベルの高い送信信号の場合であれば、上述の作用効果がより有効となる。
【００６３】
また、上述の説明では、伝送線路パターン１１１，１１２，１１３，１１４を、図１に示すように直線状に形成する例を示したが、直線状に限るものではなく、線路長が目的信号の波長λＳ１の１／４の長さになるように形成すれば、他の形状であってもよい。
【００６４】
また、上述の説明では、誘電体基板の比誘電率や比透磁率の具体的な値を示していないが、当該比誘電率や比透磁率を高くすることで、伝送線路パターン１１１，１１２，１１３，１１４の形成される電極長を短くすることができる。これにより、無線信号受信装置１を小型化することが可能になる。
【００６５】
なお、上述の説明では、単周波数であることを前提に説明しているが、上述の目的信号Ｓ１を伝送し、不要信号Ｓ２を抑圧する観点から見れば、所定の周波数の幅を有していても構わない。すなわち、伝送線路パターン１１１，１１２，１１３，１１４の長さに基づく移相量が略１／４波長となるような周波数帯域であれば、上述の効果が得られる。
【００６６】
具体的には、上述のように、ＵＨＦ帯は帯域幅が約４００ＭＨｚあるので、上述の構成で全ての帯域幅で、上述の作用効果を効果的に得られる訳ではない。したがって、ＵＨＦ帯内でも或程度の周波数帯域に絞って、伝送線路パターン１１１，１１２，１１３，１１４の線路長を設定する必要がある。この場合、不要信号Ｓ２の抑圧範囲も制限されることになる。しかしながら、各伝送線路パターン１１１，１１２，１１３，１１４は、目的信号Ｓ１では１／４波長だけ位相シフトさせ、不要信号Ｓ２では１／２波長を位相シフトさせるので、不要信号Ｓ２の方が単位電極長当たりでの移相量が小さい。したがって、目的信号Ｓ１の周波数帯域を絞っても、当該絞った周波数帯域に対応する不要信号Ｓ２の周波数帯域よりも広い周波数帯域で、不要信号Ｓ２の抑圧が可能である。これにより、本実施形態の構成を用いれば、或程度の周波数帯域を有していても、少なくとも不要信号Ｓ２の抑圧効果を十分に得ることができる。この際、目的信号Ｓ１は、完全にはそのまま出力されないが、その減衰量は、不要信号Ｓ２の抑圧量と比較して小さいので、実質的に上述の作用効果を得ることができる。
【００６７】
次に、第２の実施形態に係る無線信号受信装置について、図を参照して説明する。
図４は本実施形態の無線信号受信装置１Ｃの回路構成図である。
【００６８】
図４に示すように、本実施形態の無線信号受信装置１Ｃは、第１の実施形態に示した無線信号受信装置１における伝送線路パターン１１１，１１２，１１３，１１４を、集中定数型の移相回路で実現したものである。すなわち、伝送線路パターン１１１が移相回路２１１に置き換わり、伝送線路パターン１１２が移相回路２１２に置き換わり、伝送線路パターン１１３が移相回路２１３に置き換わり、伝送線路パターン１１４が移相回路２１４に置き換わった構成からなる。移相回路２１１，２１２，２１３，２１４は同じ構造であるので、移相回路２１１についてのみ具体的構成を説明する。
【００６９】
移相回路２１１は一方端が接続点２０１に接続し、他方端が接続点２０４に接続している。接続点２０１と接続点２０４の間、すなわち移相回路２１１の両端間には、複数（本実施形態では合計４個）のコイルＬが直列接続されている。そして、各コイルＬの両端とグランドとの間にはそれぞれコンデンサＣ（本実施形態では合計５個）が接続されている。この際、コイルＬのインダクタンスとコンデンサＣのキャパシタンスとは、移相回路２１１の両端における目的信号Ｓ１の位相のシフト量がλＳ１／４となるように、設定されている。
【００７０】
このような集中定数型の移相回路を用いた集中定数型のブランチラインハイブリッド回路２１を用いても、上述の第１の実施形態の無線信号受信装置と同様の作用効果を得ることができる。
【００７１】
なお、本実施形態では移相回路毎に、コイルＬが４個でコンデンサＣが５個の場合を示したが、これらコイルＬやコンデンサＣの個数は、適宜設定すればよい。
【００７２】
次に、第３の実施形態に係る無線信号受信装置について、図を参照して説明する。
図５は本実施形態の無線信号受信装置１ＶＣの回路構成図である。
【００７３】
図５に示すように、本実施形態の無線信号受信装置１ＶＣも集中定数型のブランチラインハイブリッド回路３１を備える構造である。本実施形態のブランチラインハイブリッド回路３１は、第２の実施形態に示した集中定数型のブランチラインハイブリッド回路２１におけるコンデンサＣを可変容量ダイオードＶＣに置き換えたものである。すなわち、移相回路２１１が移相回路３１１に置き換わり、移相回路２１２が移相回路３１２に置き換わり、移相回路２１３が移相回路３１３に置き換わり、移相回路２１４が移相回路３１４に置き換わる。なお、各移相回路３１１，３１２，３１３，３１４の可変容量ダイオードＶＣは、目的信号Ｓ１として設定される所定の周波数帯域のどの周波数であっても、制御電圧のオフ状態およびオン状態であって制御電圧を調整することで、移相回路３１１，３１２，３１３，３１４が目的信号Ｓ１をλＳ１／４だけ移相できるように、素子値が設定されている。
【００７４】
さらに、本実施形態のブランチラインハイブリッド回路３１は、可変容量ダイオードＶＣに制御電圧を与える制御回路３０を備える。制御回路３０は、制御電圧入力端子を備える。当該制御電圧入力端子３０は、インダクタＬｒを介して移相回路３１３の中点に接続している。なお、制御電圧入力端子３０は、インダクタＬｒを介して移相回路３１１，３１２，３１３，３１４のいずれに接続するようにしてもよい。また、さらに、制御回路３０の制御電圧入力端子３０とインダクタＬｒとの接続点は、キャパシタＣｒによりグランドに接続されている。このような構成とすれば、各移相回路３１１，３１２，３１３，３１４の可変容量ダイオードに制御電圧を与えるとともに、制御電圧入力端子３０への目的信号Ｓ１や不要信号Ｓ２等の高周波信号の流入を防ぐことができる。
【００７５】
また、ブランチラインハイブリッド回路３１の接続点２０１と入出力ポート１１０Ａとの間、接続点２０２と入出力ポート１１０Ｂとの間、接続点２０３と入出力ポート１１０Ｃとの間、接続点２０４と入出力ポート１１０Ｄとの間には、それぞれキャパシタＣｄが接続されている。これにより、アンテナ１０Ａ，１０Ｂ、出力端子２０への制御電圧の流出を防ぐことができる。
【００７６】
このような構成を用いれば、目的信号Ｓ１が単一の周波数ではなく、所定の周波数帯域内のいずれかの周波数であるような場合であっても、目的信号Ｓ１のみを伝送し、当該目的信号Ｓ１の略２倍の周波数からなる不要信号Ｓ２を抑圧・除去することができる。
【００７７】
これにより、上述のように、目的信号Ｓ１がＵＨＦ帯（４７０ＭＨｚ〜８６０ＭＨｚ）のテレビジョン放送信号とし、不要信号Ｓ２がＵＨＦ帯の略２倍の周波数帯域を利用する通信信号（ＤＣＳ８５０，ＤＣＳ９００，ＤＣＳ１８００，ＤＣＳ１９００通信信号等）である場合に、周波数帯域内のいずれの目的信号Ｓ１であっても、１個の無線信号受信装置１ＶＣで対応することができる。この結果、上述の第２の実施形態の無線信号受信装置１，１Ｃを複数用いるよりも、小型に形成することが可能になる。
【符号の説明】
【００７８】
１０Ａ，１０Ｂ−受信アンテナ、１１−ブランチラインハイブリッド回路、１１０Ａ，１１０Ｂ，１１０Ｃ，１１０Ｄ−入出力ポート、１１１，１１２，１１３，１１４−伝送線路パターン、２０−出力端子、２０１，２０２，２０３，２０４−ポート接続点、２１，３１−集中定数型ブランチラインハイブリッド回路、２１１，２１２，２１３，２１４−集中定数型移相回路、３１１，３１２，３１３，３１４−集中定数型可変移相回路
【図１】
2011091682.tif 000003
【図２】
2011091682.tif 000004
【図３】
2011091682.tif 000005
【図４】
2011091682.tif 000006
【図５】
2011091682.tif 000007